(57)【特許請求の範囲】
【請求項１】
矩形状の底板と、底板の上方に配置した矩形枠状の口枠と、底板と口枠との間の両側に配置した長側板と、底板と口枠との間の両端に配置した短側板とを具備し、短側板の上端を口枠に回転自在に連結して短側板を起倒自在とし、長側板を上半分の上長側板と下半分の下長側板とで構成して上長側板の上端を口枠に回転自在に連結すると共に下長側板の下端を底板に回転自在に連結し、上長側板の下端の両端と下長側板の上端の両端とを回転自在に連結した折り畳みコンテナであって、上長側板の下端の横方向の略中央部の折り畳み状態の時に短側板に重ならない位置と下長側板の上端の横方向の略中央部の折り畳み状態の時に短側板に重ならない位置の背面部にそれぞれ背方に開口する嵌め込み凹部を設け、上長側板の下端の横方向の略中央部の折り畳み状態の時に短側板に重ならない位置に上長側板と下長側板とを起立させて平板状に連続させた状態で下長側板に設けた嵌め込み凹部に嵌め込まれて長側板が外折れするのを防止するための突片部を下方に向けて突出するとともに、下長側板の上端の横方向の略中央部の折り畳み状態の時に短側板に重ならない位置に上長側板と下長側板とを起立させて平板状に連続させた状態で上長側板に設けた嵌め込み凹部に嵌め込まれて長側板が外折れするのを防止するための突片部を上方に向けて突出し、突片部の表面の外周端部に沿って係止リブを突設し、背方に開口した嵌め込み凹部に突片部を嵌め込んだ状態で突片部の表面の外周端部に沿った係止リブが嵌め込まれて係止リブの外側面と近接対向する内側面部と係止リブの内側面と近接対向する内側面部とを有する背方に開口する係止溝を形成し、上長側板の下端の上記突片部の左右両側方で且つ折り畳み状態の時に短側板が重なる位置に補助突片を下方に向けて突出すると共に、下長側板の上端に補助突片部が嵌り込む背方に開口した補助凹部を形成し、突片部の突出長さを補助突片部よりも長く形成して成ることを特徴とする折り畳みコンテナ。
【発明の詳細な説明】
【０００１】
【発明の属する技術分野】
本発明は、折り畳みコンテナに関するものである。
【０００２】
【従来の技術】
従来から矩形状の底板と、底板の上方に配置した矩形枠状の口枠と、底板と口枠との間の両側に配置した長側板と、底板と口枠との間の両端に配置した短側板とを具備し、短側板の上端を口枠に回転自在に連結して短側板を起倒自在とし、長側板を上半分の上長側板と下半分の下長側板とで構成して上長側板の上端を口枠に回転自在に連結すると共に下長側板の下端を底板に回転自在に連結し、上長側板の下端と下長側板の上端とを回転自在に連結した折り畳みコンテナが実公平７−２８１０９号公報等により知られている。
【０００３】
この従来例にあっては、図１３に示すように上長側板３ａの下端縁を全長にわたって波状に形成し、下長側板３ｂの上端縁を全長にわたって波状に形成し、更に、上長側板３ａの下端の背部及び下長側板３ｂの上端の背部に上方又は下方に開口する袋状凹部２０を形成するとともに上長側板３ａの下端の背部及び下長側板３ｂの上端の背部の波状部分の谷部に部分的に突部２１を突設し、更に、波状の山部の頂部に水平な直線状の突片２２を突設し、突部の突出基部に設けた水平な直線状の突片係止凹部２３を設け、上長側板３ａと下長側板３ｂとを起立させた際に突部２１により袋状凹部２０を押し広げて嵌め込むと共に突片２２を突片係止凹部２３に係止し、内側から側圧が加わった際に外膨れが生じにくいようにしている。
【０００４】
しかしながら、上記の従来例にあっては、波形状の山部分には頂部に水平な突片２２が設けてあるだけであるため先端が自由端となった波の山部が側圧を受けて変形しやすく、側圧により外膨れしやすいという問題がある。また、上記従来例にあっては、突部２１により上方又は下方に開口する袋状凹部２０を押し広げて袋状凹部２０内に突部２１を嵌め込むものであるから、突部２１により袋状凹部２０を押し広げて内部に嵌め込むための操作がしにくく、軽い力で箱状に組み立てたり、折り畳んだりしにくいという問題があり、特に成形後に変形が生じた場合には大きな力を加えても箱状に組み立てたり、折り畳んだりすることができない事態が生じてしまうものである。また、上記従来例にあっては、波状の形態の嵌め合わせのみで外膨れに対応せずに、上記のように波状の形態の他に上方又は下方に開口する袋状凹部２０を設けたり、谷部に別体の突部２１を付設したりするものであるから構造が複雑で製造コストが高くなるという問題がある。また、側圧により波状部分が変形して、上長側板３ａの下端と下長側板３ｂの上端との間に隙間ができて、組み立て操作をする際に波状の突部の頂部が突部２１の先端が引っ掛かり易いという問題がある。
【０００５】
そこで、上記従来例において組み立て操作性、折り畳み操作性を良くするために上方又は下方に開口する袋状凹部２０を設けず、波状の形態の嵌め合わせのみで外膨れに対応することが考えられるが、このものにおいては水平な直線状の突片が線状の突片係止凹部２３に係止するのみであるから、側圧が作用した場合に、係止が外れて外膨れが生じ易いという問題がある。
【０００６】
【発明が解決しようとする課題】
本発明は上記の点に鑑みてなされたものであり、簡単な構成で長側板が外膨れするのを防止することができ、また、箱状に組み立てるに当たって軽い力でできる折り畳みコンテナを提供することを課題とするものである。
【０００７】
【課題を解決するための手段】
上記課題を解決するために本発明に係る折り畳みコンテナは、矩形状の底板１と、底板１の上方に配置した矩形枠状の口枠２と、底板１と口枠２との間の両側に配置した長側板３と、底板１と口枠２との間の両端に配置した短側板４とを具備し、短側板４の上端を口枠２に回転自在に連結して短側板４を起倒自在とし、長側板３を上半分の上長側板３ａと下半分の下長側板３ｂとで構成して上長側板３ａの上端を口枠２に回転自在に連結すると共に下長側板３ｂの下端を底板１に回転自在に連結し、上長側板３ａの下端の両端と下長側板３ｂの上端の両端とを回転自在に連結した折り畳みコンテナＡであって、上長側板３ａの下端の横方向の略中央部の折り畳み状態の時に短側板４に重ならない位置と下長側板３ｂの上端の横方向の略中央部の折り畳み状態の時に短側板４に重ならない位置の背面部にそれぞれ背方に開口する嵌め込み凹部５を設け、上長側板３ａの下端の横方向の略中央部の折り畳み状態の時に短側板４に重ならない位置に上長側板３ａと下長側板３ｂとを起立させて平板状に連続させた状態で下長側板３ｂに設けた嵌め込み凹部５に嵌め込まれて長側板３が外折れするのを防止するための突片部６を下方に向けて突出するとともに、下長側板３ｂの上端の横方向の略中央部の折り畳み状態の時に短側板４に重ならない位置に上長側板３ａと下長側板３ｂとを起立させて平板状に連続させた状態で上長側板３ａに設けた嵌め込み凹部５に嵌め込まれて長側板３が外折れするのを防止するための突片部６を上方に向けて突出し、突片部６の表面の外周端部に沿って係止リブ７を突設し、背方に開口した嵌め込み凹部５に突片部６を嵌め込んだ状態で突片部６の表面の外周端部に沿った係止リブ７が嵌め込まれて係止リブ７の外側面と近接対向する内側面部と係止リブ７の内側面と近接対向する内側面部とを有する背方に開口する係止溝８を形成し、上長側板３ａの下端の上記突片部６の左右両側方で且つ折り畳み状態の時に短側板４が重なる位置に補助突片部１０を下方に向けて突出すると共に、下長側板３ｂの上端に補助突片部１０が嵌り込む背方に開口した補助凹部１１を形成し、突片部６の突出長さを補助突片部１０よりも長く形成し成ることを特徴とするものである。このような構成とすることで、箱状に組み立てる際には上長側板３ａと下長側板３ｂを起立させて背方に開口する嵌め込み凹部５に背方から突片部６を嵌め込むと共に背方に開口する係止溝８に背方から係止リブ７を係止することで簡単に嵌め込み、係合して箱状に組み立てることができ、しかも、組み立て状態で内部に収納物を収納して長側板３に側圧がかかっても、突片部６の外周端部に沿って形成した係止リブにより先端が自由端となった突片部６が側圧により変形しにくく、また、突片部６の外周端部に沿った係止リブ７が係止溝８に係止することで、上長側板３ａの下端と下長側板３ｂの上端とに側圧により上下方向や横方向、斜め方向等の種々の方向の力が作用しても、上長側板３ａの下端と下長側板３ｂの上端とが開いて外膨れするのを上記係止リブ７と係止溝８との係止により確実に防止することができるものである。また、最も側圧により外膨れしやすい上長側板３ａの下端の横方向の略中央部乃至下長側板３ｂの上端の横方向の略中央部において、上長側板３ａの下端中央部から下方に突出した突出長さの長い突片部６が下長側板３ｂの上端中央部に設けた嵌め込み凹部５に嵌め込まれると共に、下長側板３ｂの上端中央部から上方に突出した突出長さの長い突片部６が上長側板３ａの上端中央部に設けた嵌め込み凹部５に嵌め込まれるので、下方に突出する突出長さの長い突片部６と、上方に突出する突出長さの長い突出部６により外膨れ防止を行うことができ、また、変形により上長側板３ａの下端の横方向の略中央部乃至下長側板３ｂの上端の横方向の略中央部の間に隙間が生じても組み立てる際に突片部６が突片部６と対向する下長側板３ｂの上端縁又は上長側板３ａの下端縁に引っ掛かったりするのを防止できるものである。
【００１０】
【発明の実施の形態】
以下、本発明を添付図面に示す実施形態に基づいて説明する。
【００１１】
折り畳みコンテナＡは、合成樹脂製の矩形状の底板１と、底板１の上方に配置した合成樹脂製の矩形枠状の口枠２と、底板１と口枠２との間の両側に配置した長側板３と、底板１と口枠２との間の両端に配置した合成樹脂製の短側板４とを具備しており、短側板４の上端を口枠２にヒンジ手段により回転自在に連結して短側板４を起倒自在とし、長側板３を上半分の合成樹脂製の上長側板３ａと下半分の合成樹脂製の下長側板３ｂとで構成して上長側板３ａの上端を口枠２にヒンジ手段により回転自在に連結すると共に下長側板３ｂの下端を底板１にヒンジ手段により回転自在に連結し、上長側板３ａの下端と下長側板３ｂの上端とをヒンジ手段により回転自在に連結して構成してある。
【００１２】
上記した各部材を回転自在に連結するヒンジ手段の構造は特に限定されず、従来から公知の種々のヒンジ手段が採用できるものであるが、リサイクル等を考慮するとヒンジ手段の構成部材（例えばヒンジピン等）を合成樹脂により形成することが好ましい。もちろん必ずしもこれにのみ限定されるものではない。
【００１３】
長側板３は図３乃至図１１に示すようなもので、上長側板３ａの下端と下長側板３ｂの上端とをヒンジ手段により回転自在に連結するに当たっては、上長側板３ａの下端の横方向の両端部と下長側板３ｂの上端の横方向の両端部とをヒンジ手段１２により回動自在に連結してある。
【００１４】
上長側板３ａの下端部乃至下長側板３ｂの上端部の少なくとも一方の背面部に背方に開口する嵌め込み凹部５が設けてあり、少なくとも他方に上長側板３ａと下長側板３ｂとを起立させて平板状に連続させた状態で嵌め込み凹部５に嵌め込まれて長側板３が外折れするのを防止するための突片部６が設けてある。添付図面に示す実施形態においては上長側板３ａの下端の横方向の略中央部乃至下長側板３ｂの上端の横方向の略中央部の少なくとも一方に突片部６を設けると共に、少なくとも他方に背方に開口する嵌め込み凹部５を設けてあり、具体的には上長側板３ａの下端の横方向の中央に１つの下向きの突片部６を突設すると共に該下向きの突片部６の両側に隣接してそれぞれ１つずつ合計２個の背方に開口する嵌め込み凹部５を形成し、また、下長側板３ｂの上端の横方向の中央に１つの背方に開口する嵌め込み凹部５を形成すると共に該嵌め込み凹部５の両側に隣接してそれぞれ１つずつ合計２個の上方に突出する突片部６を設けてある。
【００１５】
ここで、嵌め込み凹部５、突片部６は略弧状、台形状、四角形状等種々の外形形状のものが考えられる。そして、突片部６と嵌め込み凹部５とが隣接することで、突片部６の外周縁と嵌め込み凹部５の外周縁とが波状（丸波状又は角波状）に連続している。
【００１６】
突片部６の表面には外周端部に沿って係止リブ７を突設してある。添付図面に示す実施形態では突片部６の表面の外周端部の全周に係止リブ７が突設してある。また、突片部６の表面には突出基部の中央部から突出方向に向けて一体に中央リブ９が形成してある。
【００１７】
一方、背方に開口した嵌め込み凹部５には突片部６を嵌め込んだ状態で突片部６の表面の外周端部に沿った係止リブ７が嵌め込まれて係止リブ７外側面と近接対向する内側面部と係止リブ７の内側面８ａと近接対向する内側面部８ｂとを有する背方に開口する係止溝８が形成してある。また、上記内側面部８ｂを形成するリブ条１３の一部に切り欠き部１４を設けて上長側板３ａと下長側板３ｂとを起立させて平板状に連続させた状態で切り欠き部１４に上記中央リブ９の基部が嵌り込むようになっている。
【００１８】
また、上長側板３ａの下端の横方向の端部付近乃至下長側板３ｂの上端の横方向の端部付近の少なくとも一方に補助突片部１０を設けてあり、少なくとも他方に補助突片部１０が嵌り込む背方に開口した補助凹部１１を形成してある。補助突片部１０の表面には水平な補助係止リブ１０ａが設けてある。ここで、突片部６の突出長さは補助突片部１０よりも長く形成してある。
【００１９】
しかして、上記のような構成の折り畳みコンテナＡは両短側板４を倒し、両長側板３をそれぞれ上長側板３ａと下長側板３ｂとの枢支部分を中心に内折りして折り畳むことで底板１の上面の周囲に矩形状の口枠２を重ね、口枠２内において２つ折りした両長側板３を底板１の上に重ね、更に２つ折りした両長側板３の上に両短側板４を重ねることで、図２のようにコンパクトに折り畳むものである。
【００２０】
一方、折り畳みコンテナＡを箱状に組み立てるには口枠２を上方に持ち上げ、両長側板３をヒンジ手段１２部分で回転して上長側板３ａと下長側板３ｂとを起立させて平板状に連続させた状態とし、次に、両短側板３ｂをヒンジ手段部分で口枠２に対して回動して起立させ、両短側板３ｂの両端面部をそれぞれ起立した両長側板３の裏面に当接することで、起立状態の上長側板３ａと下長側板３ｂとが内折れしないように保持している。図１に箱状に組み立てた状態を示している。
【００２１】
ここで、上記のように上長側板３ａと下長側板３ｂとを起立させて平板状に連続させた状態にすると、図８乃至図１１に示すように背方に開口する嵌め込み凹部５に背方から突片部６を嵌め込むと共に背方に開口する係止溝８に背方から係止リブ７が係止するものである。
【００２２】
箱状に組み立てた折り畳みコンテナＡ内には収納物を収納するが、内部に収納した収納物の側圧が長側板３にかかった場合に突片部６が嵌め込み凹部５に嵌め込まれることで長側板３が外折れするのを防止している。しかも、この外折れ防止をするための先端が自由端となった突片部６の外周端部に沿って係止リブ７を設けてあるので、突片部６が側圧で変形しにくく、しかも、突片部６の外周端部に沿った係止リブ７が係止溝８に係止することで、側圧により上長側板３ａの下端及び下長側板３ｂの上端部分に上下方向や横方向、斜め方向等の種々の方向の力が作用して上長側板３ａの下端と下長側板３ｂの上端とが開いて外膨れようとしても、上記突片部６の外周端部に沿った係止リブ７と係止溝８との係止が上記種々の方向の力が作用しても外れることがなく、これにより上長側板３ａの下端と下長側板３ｂの上端とが開いて外膨れを確実に防止できるものである。
【００２３】
また、突片部６に突出基部の中央部から突出方向に向けて一体に中央リブ９を形成してあるので、先端が自由端となった突片部６の側圧による変形に対して、上記外周端部に沿った係止リブ７による補強に加えて中央部を中央リブ９によって補強して変形防止できるものである。
【００２４】
ここで、上長側板３ａと下長側板３ｂとを展延して起立させて嵌め込み凹部５に背方から突片部６を嵌め込むことで、同時に弧状（あるいは台形状あるいはコ字状）をした係止溝８に背方から弧状（あるいは台形状あるいはコ字状）をした係止リブ７を係止することができ、嵌め込み、係止操作が背方からの嵌め込み、係止となって軽い力で容易に行えるものである。
【００２５】
また、上長側板３ａと下長側板３ｂとを起立させて平板状に連続させた状態では上長側板３ａの下端の横方向の端部付近乃至下長側板３ｂの上端の横方向の端部付近の補助突片部１０と、補助凹部１１とが嵌り込み、補助突片部１０により上長側板３ａの下端の横方向の端部付近乃至下長側板３ｂの上端の横方向の端部付近において長側板３が外折れするのを防止している。
【００２６】
ここで、突片部６の突出長さを補助突片部１０よりも長く形成してあるので、最も側圧により外膨れしやすい上長側板３ａの下端の横方向の略中央部乃至下長側板３ｂの上端の横方向の略中央部において、突出長さの長い突片部６により外膨れ防止を行うことができ、また、変形により上長側板３ａの下端の横方向の略中央部乃至下長側板３ｂの上端の横方向の略中央部の間に隙間が生じても組み立てる際に突片部６が突片部６と対向する下長側板３ｂの上端縁又は上長側板３ａの下端縁に引っ掛かったりするのを防止できるものである。
【００２７】
なお、上記実施形態においては、上長側板３ａの下端の横方向の略中央部乃至下長側板３ｂの上端の横方向の略中央部の少なくとも一方に表面の外周端部に沿って係止リブ７を有する突片部６を設けると共に、少なくとも他方に係止リブ７が嵌り込む背方に開口した係止溝８を有する背方に開口する嵌め込み凹部５を設け、上長側板３ａの下端の横方向の端部付近乃至下長側板３ｂの上端の横方向の端部付近の少なくとも一方に補助突片部１０を設けると共に、少なくとも他方に補助突片部１０が嵌り込む背方に開口した補助凹部１１を形成した例である。
【００２８】
なお、前記実施形態においては図７に示されるように係止溝８の内側面部８ｂをリブ条１３で構成して内側面部８ｂで囲まれた部分が背方に開口する溝となった例を示しているが、図１２に示すように、係止溝８の内側面部８ｂで囲まれた部分の背面側がべた面５０となったものであってもよい。
【００２９】
【発明の効果】
上記のように本発明の請求項１記載の発明にあっては、上長側板の下端の両端と下長側板の上端の両端とを回転自在に連結した折り畳みコンテナであって、上長側板の下端の横方向の略中央部の折り畳み状態の時に短側板に重ならない位置と下長側板の上端の横方向の略中央部の折り畳み状態の時に短側板に重ならない位置の背面部にそれぞれ背方に開口する嵌め込み凹部を設け、上長側板の下端の横方向の略中央部の折り畳み状態の時に短側板に重ならない位置に上長側板と下長側板とを起立させて平板状に連続させた状態で下長側板に設けた嵌め込み凹部に嵌め込まれて長側板が外折れするのを防止するための突片部を下方に向けて突出するとともに、下長側板の上端の横方向の略中央部の折り畳み状態の時に短側板に重ならない位置に上長側板と下長側板とを起立させて平板状に連続させた状態で上長側板に設けた嵌め込み凹部に嵌め込まれて長側板が外折れするのを防止するための突片部を上方に向けて突出し、突片部の表面の外周端部に沿って係止リブを突設し、背方に開口した嵌め込み凹部に突片部を嵌め込んだ状態で突片部の表面の外周端部に沿った係止リブが嵌め込まれて係止リブの外側面と近接対向する内側面部と係止リブの内側面と近接対向する内側面部とを有する背方に開口する係止溝を形成し、上長側板の下端の上記突片部の左右両側方で且つ折り畳み状態の時に短側板が重なる位置に補助突片を下方に向けて突出すると共に、下長側板の上端に補助突片部が嵌り込む背方に開口した補助凹部を形成し、突片部の突出長さを補助突片部よりも長く形成してあるので、箱状に組み立てる際には上長側板と下長側板を起立させて背方に開口する嵌め込み凹部に背方から突片部を嵌め込むと共に背方に開口する係止溝に背方から係止リブを係止することで簡単に嵌め込み、係合して箱状に組み立てることができて、箱状の組み立てに当たっての突片部と嵌め込み凹部との嵌合及び係止リブと係止溝との係合とが軽い力で容易に行えるものであり、しかも、組み立て状態で内部に収納物を収納して長側板に側圧がかかっても、突片部の外周端部に沿って係止リブを形成してあるので、先端が自由端となった突片部が側圧で変形しにくく、更に、突片部の外周端部に沿った係止リブが係止溝に係止することで、上長側板の下端と下長側板の上端とに側圧により上下方向や横方向、斜め方向等の種々の方向力が作用しても、種々の方向の力により係止リブと係止溝との係止により上長側板の下端と下長側板の上端とが開いて外膨れしようとするのを確実に防止することができるものである。しかも、最も側圧により外膨れしやすい上長側板の下端の横方向の略中央部乃至下長側板の上端の横方向の上長側板３ａの下端中央部から下方に突出した突出長さの長い突片部６が下長側板３ｂの上端中央部に設けた嵌め込み凹部５に嵌め込まれると共に、下長側板３ｂの上端中央部から上方に突出した突出長さの長い突片部６が上長側板３ａの上端中央部に設けた嵌め込み凹部５に嵌め込まれるので、下方に突出する突出長さの長い突片部６と、上方に突出する突出長さの長い突出部６により外膨れ防止を行うことができ、また、変形により上長側板の下端の横方向の略中央部乃至下長側板の上端の横方向の略中央部の間に隙間が生じても組み立てる際に突片部が突片部と対向する下長側板の上端縁又は上長側板の下端縁に引っ掛かったりするのを防止できて組み立てが簡単且つ確実にできるものである。
【図面の簡単な説明】
【図１】本発明の折り畳みコンテナを箱状に組み立てた状態の斜視図である。
【図２】同上の折り畳みコンテナを折り畳んだ状態の斜視図である。
【図３】同上の長側板の正面図である。
【図４】同上の長側板の背面図である。
【図５】同上の長側板の起立状態の背面側から見た斜視図である。
【図６】同上の長側板の折り畳み状態の背面側から見た斜視図である。
【図７】同上の要部拡大斜視図である。
【図８】同上の図４のＸ１−Ｘ１線断面図である。
【図９】同上の図４のＸ２−Ｘ２線断面図である。
【図１０】同上の図４のＸ３−Ｘ３線断面図である。
【図１１】同上の図４のＸ４−Ｘ４線断面図である。
【図１２】本発明の他の実施形態の要部拡大斜視図である。
【図１３】従来例の長側板の斜視図である。
【符号の説明】
１  底板
２  口枠
３  長側板
３ａ  上長側板
３ｂ  下長側板
４  短側板
５  嵌め込み凹部
６  突片部
７  係止リブ
８  係止溝
９  中央リブ
１０  補助突片部
１１  補助凹部
【図１】
0004589499.tif 000002
【図２】
0004589499.tif 000003
【図３】
0004589499.tif 000004
【図４】
0004589499.tif 000005
【図５】
0004589499.tif 000006
【図６】
0004589499.tif 000007
【図７】
0004589499.tif 000008
【図８】
0004589499.tif 000009
【図９】
0004589499.tif 000010
【図１０】
0004589499.tif 000011
【図１１】
0004589499.tif 000012
【図１２】
0004589499.tif 000013
【図１３】
0004589499.tif 000014